(57)【要約】      （修正有）【課題】脱落せず、実用的な装飾指輪として指の装いを愉しむことができるとともに、装着した指関節の屈伸運動をして、指関節に負荷をかけるように構成した、指関節の拘縮初期症状のリハビリや拘縮予防のために用いる指関節用装具を提供する。【解決手段】指関節用装具１は、ゴム・合成樹脂等の圧縮性を有する弾性材２を用いて形成し、装着した指関節の屈伸運動をして、指関節に負荷をかけるように構成した指関節用装具であって、複合美的処理３を施した装飾指輪４に形成するとともに、指関節の全周５を被覆できるように形成し、かつ、該装具の肉厚６を、両端部から中央部に向けて次第に肉厚となるように形成する。【選択図】図１
2013233389.tif 000002
【特許請求の範囲】
【請求項１】
ゴム・合成樹脂等の圧縮性を有する弾性材を用いて形成し、装着した指関節の屈伸運動をして、指関節に負荷をかけるように構成した指関節用装具であって、複合美的処理を施した装飾指輪に形成するとともに、指関節の全周を被覆できるように形成し、かつ、該装具の肉厚を、両端部から中央部に向けて次第に肉厚となるように形成したことを特徴とする指関節用装具。
【発明の詳細な説明】
【技術分野】
【０００１】  本発明は、ゴム・合成樹脂等の圧縮性を有する弾性材を用いて形成し、指関節の屈伸運動をし、指関節に負荷をかけるように構成した、指関節の拘縮初期症状のリハビリや拘縮予防のために用いる指関節用装具に関するものである。
【背景技術】
【０００２】  手指の拘縮を予防するため、可撓性素材で形成された手指用装具で、手指の屈曲を防止する中空部材と該中空部材の脱落防止部材からなる拘縮予防用具に関する先行技術として「手指の拘縮予防用具」がある（例えば、特許文献１参照）。
また、ポリウレタンフォームなどの弾性を有する合成樹脂発泡体で、五指をそれぞれ挿通させる装具を形成し、関節の曲げ動作に負荷をかけて握力を低減させ、老化を体験させる先行技術として「老化体験装具」がある（例えば、特許文献２参照）。
【特許文献１】  実登３１５５８６５号公報（請求項１〜３，図１〜４）
【特許文献２】  特開２００２−７２８５１号公報（請求項１〜５，図１〜２）
【発明の開示】
【発明が解決しようとする課題】
【０００３】  手指の拘縮症状やその予防などに用いる装具は、装着すると日常生活に支障が生じるとともに、簡易なものでは装着した装具が脱落しやすいという問題点があった。
また、外観が悪く、外出時などでの装着がためらわれる、という欠点があった。
本願発明は、上記実情に鑑み、脱落せず、実用的な装飾指輪として指の装いを愉しむことができるとともに、装着した指関節の屈伸運動をして、指関節に負荷をかけるように構成した、指関節の拘縮初期症状のリハビリや拘縮予防のために用いる指関節用装具を提供しようとするものである。
【課題を解決するための手段】
【０００４】  上記課題を解決するため、本発明の指関節用装具は、ゴム・合成樹脂等の圧縮性を有する弾性材を用いて形成し、装着した指関節の屈伸運動をして、指関節に負荷をかけるように構成した指関節用装具であって、複合美的処理を施した装飾指輪に形成するとともに、指関節の全周を被覆できるように形成し、かつ、該装具の肉厚を、両端部から中央部に向けて次第に肉厚となるように形成する。
【発明の効果】
【０００５】  本発明の指関節用装具は、圧縮性を有する弾性材を用いて形成したうえで、装具の肉厚を、両端部から中央部に向けて次第に肉厚となるよう形成したので、指関節を装具の中央部が被覆するように装着し、指関節に最大の負荷がかかるようにして使用したり、装具の装着位置をずらして指関節にかかる負荷の大きさを変えて使用したりすることができ、指関節の拘縮初期症状のリハビリや拘縮予防を、負荷の大きさを可変にして行うことができるとともに、両端部から中央部に向けて次第に肉厚とすることでデザイン的にも美しいものが提供できる。【０００６】  また、指関節を装具の中央部が被覆するように装着して使用する場合、装具の肉厚を、両端部から中央部に向けて次第に肉厚となるよう形成することで、装具の両端部の肉厚を中央部の肉厚と同一にした場合と比較すると、指関節の屈曲時において、両端部同士が接触して負荷の大きさが増大するまでの屈曲角度が大きくなるので、指関節にかかる同一の負荷の大きさに対して、より屈曲角度の大きな屈伸運動をすることができるようになり、指関節の拘縮初期症状のリハビリや拘縮予防を、同一の労力で屈曲角度の大きな屈伸運動として行うことができ、効率的、効果的に行うことができる。【０００７】  また、両端部から中央部に向けて次第に肉厚になるよう形成することで、装具を指関節に装着した場合、装具の両端部が、指を前後に動かせる際の妨げになりにくくなるとともに、装具の肉厚部で握る物を滑らないようにし、日常生活に種々利用することができる。
【発明を実施するための最良の形態】
【０００８】  本発明の指関節用装具は、ゴム・合成樹脂等の圧縮性を有する弾性材を用いて形成し、装着した指関節の屈伸運動を自発的に行い、自発的に指関節に負荷をかけるように構成した、指関節の拘縮初期症状のリハビリや拘縮予防をするための指関節用装具であり、複合美的処理を施した装飾指輪に形成するとともに、指関節の全周を被覆できるように形成し、かつ、該装具の肉厚を、両端部から中央部に向けて次第に肉厚となるように形成するものである。【０００９】  ゴム・合成樹脂等の圧縮性を有する弾性材としては、例えば、発泡ゴム、合成ゴム、発泡ウレタン、エラストマー、弾性ポリマーなど、ゴム・合成樹脂等からなる圧縮性と弾性とを有する素材を用いることができる。
ゴム・合成樹脂等の圧縮性を有する弾性材を用いて形成することで、指関節の屈伸運動をする際に負荷がかかるように構成できる。【００１０】  複合美的処理とは、例えば、装具に色を付ける着色処理や絵や模様を付ける絵模様処理、形状の外形をラクビーボール型や葉巻型などに形成する外形処理、その表面に溝や凹凸を付ける表面加工処理などの美的処理を複数組み合わせた複合処理をいう。
外形処理は、両端部から中央部に向けて次第に肉厚となるよう形成し、例えば、ラクビーボール型、葉巻型、などの形状に形成できる。また、表面加工処理も種々の加工が可能で、例えば、蛇腹状に形成したり、格子状に溝を設けたりする処理を施すことができる。
美的処理を施すのは、指を美しく飾る装飾指輪に形成するためであり、着色処理や外形処理などの美的処理を複合させた複合美的処理を施して指を美しく飾る装飾指輪として形成することにより、実用的に常時装着できるように創案して提供するものである。【００１１】  装具は、指関節の全周を被覆できるよう形成するとともに、装具の両端の最薄部の肉厚を２ｍｍ以上とすることが望ましく、装具の太さのサイズは各種サイズを用意し、指関節に密着的に嵌められるサイズを用いることができるようにする。
指関節の屈伸運動をする際に、負荷の大きさを可変にするとともに、効率的、効果的に負荷がかけられるように構成するため、装具の肉厚を、両端部から中央部に向けて次第に肉厚となるように形成するとともに、ゴムや合成樹脂の素材は、適当な反発力を有するものを用いる。【００１２】  また、指関節用装具には、蒸れを防ぐための通気口孔を設けたり、又は、水や汗の吸収を防ぐための撥水処理や防水処理を施したり、或いは、飾り玉を付け加えるなどの加飾処理を施したりすることができ、さらに、磁気発生体を、接着加工やインサート成型法により設けたり、或いは、磁性材料粉末と合成樹脂を混合して成型する方法、などにより磁気発生体を設ける実施形態を選択することができる。
【実施例１】
【００１３】    以下図面に基づいて実施例を説明する。
図１は、本発明の指関節用装具の一実施例を示す斜視図である。
指関節用装具（１）は、ゴム・合成樹脂等の圧縮性を有する弾性材（２）の一例として、発泡ウレタンを用い、指関節の全周を被覆できるように形成（５）し、かつ、装具の肉厚を、両端部から中央部に向けて次第に肉厚となるように形成（６）されている。【００１４】  実施例では、指関節用装具（１）は、略ラクビーボール型に外形処理するとともに青色に着色処理して、複合美的処理（３）が施された装飾指輪に形成（４）されている。【００１５】  また、実施例では、指関節用装具（１）は、中指（Ａ）に装着されており、中指の第二関節の全周を被覆できるように形成（５）され、指関節の屈伸運動をする際に負荷がかかるように構成されている。
また、実施例では、指関節用装具（１）は、両端部から中央部に向けて次第に肉厚となるように形成（６）され、両端部の最薄部の肉厚が２ｍｍになるよう設計し、発泡成形により作られている。【００１６】  また、指関節用装具（１）には、選択的に実施できる実施形態の一例として、蒸れを防ぐための通気孔（Ｂ）と、水や汗の吸収を防ぐための防水処理（Ｃ）と、飾り玉を埋設、接着した加飾処理（Ｄ）が施され、さらに、選択的に実施できる実施形態の一例として、複数個の錠剤型のフェライト系永久磁石が、磁気発生体（Ｅ）として、表面が露出する状態に埋設したうえで接着加工して設けられている。
【図面の簡単な説明】
【００１７】
【図１】本発明による指関節用装具の一実施例を示す斜視図である。
【符号の説明】
【００１８】  １  指関節用装具
２  ゴム・合成樹脂等の圧縮性を有する弾性材（発泡ウレタン）
３  複合美的処理（略ラクビーボール型の外形処理と青色の着色処理の複合処理）
４  装飾指輪に形成
５  指関節の全周を被覆できるように形成
６  両端部から中央部に向けて次第に肉厚となるように形成
Ａ  中指
Ｂ  通気孔
Ｃ  防水処理
Ｄ  加飾処理（飾り玉）
Ｅ  磁気発生体
【図１】
2013233389.tif 000003